(57)【特許請求の範囲】
【請求項１】
操作パネル部が機種別に異なる画像形成装置において、各機種に共通のプログラム及び各機種別の専用データを備えたシステムＲＯＭと、操作パネル部のキー回路をチェックして機種を判別し、その判別結果に応じた機種のデータをシステムＲＯＭから読み出す制御部を備えていることを特徴とする画像形成装置。
【請求項２】
制御部は電源投入時に機種の判別を行うように構成されていることを特徴とする請求項１記載の画像形成装置。
【請求項３】
操作パネル部のキー回路の一部を直結させることにより機種の判別を行うことを特徴とする請求項１または２記載の画像形成装置。
【請求項４】
制御部は、機種の判別が誤認識であるか否かを判断する機能を備えていることを特徴とする請求項１、２または３記載の画像形成装置。
【請求項５】
制御部は、機種の判別結果が誤認識である場合、機種の判別処理を繰り返して実行し、所定回数の判別処理を行った後の判別結果が誤認識であるときには、操作パネル部の表示部にエラー表示を行うように構成されていることを特徴とする請求項４記載の画像形成装置。
【発明の詳細な説明】
【０００１】
【発明の属する技術分野】
本発明は、操作モードの仕様が機種別に異なる画像形成装置（複写機）に関する。
【０００２】
【従来の技術】
画像形成装置として、システムＲＯＭに予め記憶したプログラム及びデータに基づいて、操作パネル部、ＲＡＭ、印字部及び読取部などにアクセスして装置全体を制御する方式のものがある。
【０００３】
このような画像形成装置において、種々の国々への輸出を対象として複数の機種を製作する場合、装置本体は、各機種に対して同一の外形機構や基本的機能を利用できることから共通化することができる。しかし、システムＲＯＭ及び操作モードの仕様については、仕向け地ごとつまり各機種ごとに専用のものがそれぞれ個別に必要になる。
【０００４】
特開平６−１０３２３８号公報には、操作モードの仕様が異なる複数の機種に対して共通のシステムＲＯＭを用いる装置が開示されている。
【０００５】
この公報に記載の装置は、各機種について共通のプログラム及び各機種別の専用データを備えたシステムＲＯＭと、回路基板に設けられ各機種に対応した信号を設定することが可能な機種識別用のハードウェアポートと、このハードウェアポートをチェックして機種を判別する機種判別手段を備え、この機種判別手段にて判別された機種に応じたデータをシステムＲＯＭから読み出すように構成されている。
【０００６】
【発明が解決しようとする課題】
ところで、従来の画像形成装置では、前記したように、システムＲＯＭ及び操作モードの仕様については機種ごとに専用のものがそれぞれ個別に必要になるので、生産性・装置コスト上の問題がある。
【０００７】
特開平６−１０３２３８号公報に記載の装置によれば、システムＲＯＭは共通品とすることができるが、機種判定用のハードウェアポートが別途必要になる。また、機種の違いを半田による結線などの手段で区別しなければならないため、作業ミスの可能性がある。
【０００８】
本発明はそのような実情に鑑みてなされたもので、ハードウェアポートの追加や半田による結線などの特別な作業を要することなく、機種の判別を容易に行うことが可能な画像形成装置の提供を目的とする。
【０００９】
【課題を解決するための手段】
本発明は、操作パネル部が機種別に異なる画像形成装置において、各機種に共通のプログラム及び各機種別の専用データを備えたシステムＲＯＭと、操作パネル部のキー回路をチェックして機種を判別し、その判別結果に応じた機種のデータをシステムＲＯＭから読み出す制御部を備えていることによって特徴づけられる。
【００１０】
本発明によれば、操作パネル部が機種別に異なる画像形成装置を対象とし、操作パネル部のキー回路を利用して機種を判別するので、ハードウェアポートを別途設けること、及び半田による結線作業等を行うことなく、機種を判別することが可能になる。なお、機種の判別は、電源投入時において自動的に実行されることが好ましい。
【００１１】
本発明の画像形成装置において、操作パネル部のキー回路の一部（各機種ごとの操作モードの違いにより各機種において使用しないキー回路部分）を直結させることで、機種を判別するように構成すれば、全ての機種において操作パネル部の基板を共通に使用することができる。
【００１２】
本発明の画像形成装置において、機種の判別結果が誤認識であるか否かを制御部にて判断するようにすれば、機種の判別を確実に行うことができる。なお、機種の判別結果が誤認識である場合、機種の判別処理を繰り返して実行し、所定回数の判別処理を行った後の判別結果が誤認識であるときには、操作パネル部の表示部にエラー表示を行うようにしてもよい。
【００１３】
【発明の実施の形態】
以下、本発明の実施形態を図面に基づいて説明する。
【００１４】
まず、本発明を適用する画像形成装置を、図１を参照しつつ説明する。
【００１５】
図１に示す画像形成装置（複写機）１００は、上面に透明なガラス等からなる原稿台１０１を備えており、この原稿台１００の下方に、スキャナー光学系１０２が配置されている。
【００１６】
スキャナー光学系１０２は、原稿台１０１上に載置される原稿（図示せず）に光を照射する露光用光源１２１と、原稿からの反射光を結像レンズ１２２を通過させてＣＣＤ（光電変換素子）１２３に導く複数の反射鏡１２４ａ、１２４ｂとを備えている。
【００１７】
ＣＣＤ１２３によって読み取られた原稿画像データは、画像処理が施された後にレーザースキャニングユニット１０３（以下、ＬＳＵ１０３と称する）に導かれる。
【００１８】
ＬＳＵ１０３は、原稿画像データに応じたレーザ光を出力するレーザダイオード１３１、その出力レーザ光を等角速度偏向して感光体１０４上にレーザ光を走査するポリゴンミラー１３２、及び反射鏡１３３ａ、１３３ｂ等によって構成されており、このＬＳＵ１０３からレーザ光をドラム形状の感光体１０４の表面に照射することにより静電潜像が形成される。
【００１９】
感光体１０４は図中矢印方向に回転駆動される。この感光体１０４の周囲には、レーザ光によって露光された感光体１０４表面の静電潜像をトナーにより可視像に現像する現像装置１０５、感光体１０４上のトナー像を用紙に転写する転写チャージャーローラ１０６、及び、感光体１０４を所定の電位に帯電させる主帯電器１０７等が、レーザ光照射点の下流側（感光体１０４の回転方向の下流側）に順に配置されており、これら感光体１０４、現像装置１０５、転写チャージャーローラ１０６及び主帯電器１０７等によって画像形成部が構成されている。
【００２０】
転写紙Ｐは用紙トレイ１０８に収められる。用紙トレイ１０８の先端部には転写紙Ｐを給紙するためのピックアップローラ１０９が配置されている。
【００２１】
ピックアップローラ１０９の下流側（転写紙搬送方向の下流側）には、転写紙Ｐの通過を検知するための入紙センサスイッチ（図示せず）、入紙センサスイッチの信号を基に感光体上のトナー像と転写紙との位置合わせを行う機構（転写チャージャーローラ１０６）、転写紙Ｐ上のトナー像を熱により定着させる定着ローラ１１０、転写紙Ｐが通過したことを検知する排紙検知スイッチ（図示せず）、転写紙Ｐを排出するための排紙ローラ１１１が配置されている。
【００２２】
図２は本発明の実施形態の構成を示すブロック図である。なお、この実施形態では、操作パネル部が機種別に異なる画像形成装置を対象としている。
【００２３】
制御部１は、システムＲＯＭ２に予め記憶されたプログラム及びデータに従って、操作パネル部３、ＲＡＭ４、印字部５及び読取部６にアクセスして装置全体を制御する。システムＲＯＭ２は、全ての機種に共通のプログラムと、機種ごとに異なる専用データを備えている。
【００２４】
制御部１は、電源投入時における最初の操作パネル部３のキー入力情報において、Ｈレベルになっている部分を検出することによって機種を判別し（詳細は後述）、その判別結果に応じた機種のデータをシステムＲＯＭ２から読み出して、装置全体の制御に用いる。
【００２５】
次に、機種の判別方法の詳細を、機種Ａと機種Ｂの２機種に対してシステムＲＯＭ２を共用する場合を例にとって以下に説明する。
【００２６】
システムＲＯＭ２には、図３に示すように、機種Ａと機種Ｂにおいて共通に使用するプログラムが書き込まれたプログラム部分２ａと、機種Ａと機種Ｂの各機種の専用データが記憶されたデータ部分２ｂ、２ｃを備えている。
【００２７】
機種Ａの操作パネル部３には、図４（ａ）に示すように、表示部３ａと複数のキー操作部ＳＷＡ−１  〜ＳＷＡ−１１が配置されている。
【００２８】
機種Ａにおいて操作パネル部３のキー回路は図５に示すような構成となっており、複数のキー操作部ＳＷＡ−１  〜ＳＷＡ−１１のうち、１行目に並ぶキー操作部ＳＷＡ−１，ＳＷＡ−２，ＳＷＡ−３  は入力ラインＬ１１に接続されている。２行目に並ぶキー操作部ＳＷＡ−４，ＳＷＡ−５，ＳＷＡ−６  は入力ラインＬ１２に接続され、３行目に並ぶキー操作部ＳＷＡ−７，ＳＷＡ−８  は入力ラインＬ１３に接続されている。４行目に並ぶキー操作部ＳＷＡ−９，ＳＷＡ−１０，ＳＷＡ−１１  は入力ラインＬ１４に接続されている。
【００２９】
また、複数のキー操作部ＳＷＡ−１  〜ＳＷＡ−１１のうち、１列目に並ぶキー操作部ＳＷＡ−１，ＳＷＡ−４，ＳＷＡ−７，ＳＷＡ−９  は出力ラインＬ２１に接続されている。２列目に並ぶキー操作部ＳＷＡ−２，ＳＷＡ−５，ＳＷＡ−８，ＳＷＡ−１０は出力ラインＬ２２に接続され、３列目に並ぶキー操作部ＳＷＡ−３，ＳＷＡ−６，ＳＷＡ−１１は出力ラインＬ２３に接続されている。
【００３０】
そして、この機種Ａのキー回路において３行目の入力ラインＬ１３と３列目の出力ラインＬ２３が直結されており、入力ラインＬ１３に入力信号が送られたときに、その信号が出力ラインＬ２３から出力される。
【００３１】
機種Ｂの操作パネル部３には、図４（ｂ）に示すように、表示部３ａと複数のキー操作部ＳＷＢ−１  〜ＳＷＢ−１１が配置されている。
【００３２】
機種Ｂにおいて操作パネル部３のキー回路は図６に示すような構成となっており、複数のキー操作部ＳＷＢ−１  〜ＳＷＢ−１１のうち、１行目に並ぶキー操作部ＳＷＢ−１，ＳＷＢ−２，ＳＷＢ−３  は入力ラインＬ１１に接続されている。２行目に並ぶキー操作部ＳＷＢ−４，ＳＷＢ−５，ＳＷＢ−６  は入力ラインＬ１２に接続され、３行目に並ぶキー操作部ＳＷＢ−７，ＳＷＢ−８，ＳＷＢ−９  は入力ラインＬ１３に接続されている。４行目に並ぶキー操作部ＳＷＢ−１０，ＳＷＢ−１１  は入力ラインＬ１４に接続されている。
【００３３】
また、複数のキーＳＷＢ−１  〜ＳＷＢ−１１のうち、１列目に並ぶキーＳＷＢ−１，ＳＷＢ−４，ＳＷＢ−７，ＳＷＢ−１０は出力ラインＬ２１に接続されている。２列目に並ぶキーＳＷＢ−２，ＳＷＢ−５，ＳＷＢ−８  は出力ラインＬ２２に接続され、３列目に並ぶキーＳＷＢ−３，ＳＷＢ−６，ＳＷＢ−９，ＳＷＢ−１１は出力ラインＬ２３に接続されている。
【００３４】
そして、この機種Ｂのキー回路において４行目の入力ラインＬ１４と２列目の出力ラインＬ２２が直結されており、入力ラインＬ１４に入力信号が送られたときに、その信号が出力ラインＬ２２から出力される。
【００３５】
以上の機種Ａと機種Ｂの２機種の操作パネル部３は、そのいずれか一方が、出荷先の操作モードに応じて装置本体に選択的に取り付けられる。
【００３６】
次に、制御部１にて実行される機種の判別動作を、図７に示すフローチャート及び図８、図９に示すタイムチャートを参照しつつ説明する。
【００３７】
電源投入時に、操作パネル部３のキー回路の１行目の入力ラインＬ１１に入力信号Ｄ１  （パルス信号：図８、図９参照）を送り（ステップＳ１  ）、１列目〜３列目の出力ラインＬ２１、Ｌ２２、Ｌ２３からの各出力信号Ｆ１，Ｆ２，Ｆ３  のレベルを検出する（ステップＳ２  ）。このような処理をキー回路の２行目の入力ラインＬ１２及び３行目の入力ラインＬ１３について順に実行する。
【００３８】
全ての入力ラインＬ１１、Ｌ１２、Ｌ１３について、ステップＳ１  及びステップＳ２  の処理が完了した後、出力信号Ｆ１，Ｆ２，Ｆ３  のうち、２つ以上の出力信号がＨレベルとなった否かを判別する（ステップＳ４  ）。２つ以上の出力信号がＨレベルになった場合には、検出結果が誤認識であると判断してステップＳ１  へと戻る（リトライ）。
【００３９】
ここで、２つ以上の出力信号がＨレベルになった場合、ステップＳ１  〜ステップＳ４  までの処理をリトライする理由は、電源投入時においてユーザが操作パネル部３の操作キーを押す可能性があり、操作パネル部３が正常であるのにも関わらず、操作パネル部３が故障であると認識されること等の不都合を回避するためである。
【００４０】
リトライを所定回数（例えば２回）を行った後においても、２つ以上の出力信号がＨレベルである場合、何か別の故障によるものである可能性もあるため、操作パネル部３の表示部３ａにエラー表示を行った後に処理を終了する（ステップＳ９  ）。
【００４１】
ステップＳ４  において、出力信号が１つだけＨレベルであることを検出した場合、正常に検出したものと判別し、次に、どの入力信号により出力信号がＨレベルになったのかについて判別する。
【００４２】
具体的には、入力信号Ｄ３  がＨレベルのときに出力信号Ｆ３  がＨレベルになったか否かを判別する（ステップＳ５  ）。この判別結果において入力信号Ｄ３のＨレベル時に出力信号Ｆ３  がＨレベルになっている場合、キー回路の入力ラインＬ１３と出力ラインＬ２３とが直結状態（図５）になっていること意味するので、機種Ａと判定する（ステップＳ６  ）。
【００４３】
ステップＳ６  において、出力信号Ｄ３  がＨレベルになっていない場合、次のステップＳ７  へと進み、入力信号Ｄ４  がＨレベルのときに出力信号Ｆ２  がＨレベルになったか否かを判別する。この判別結果において入力信号Ｄ４  のＨレベル時に出力信号Ｆ２  がＨレベルになっている場合、キー回路の入力ラインＬ１４と出力ラインＬ２２とが直結状態（図６）になっていること意味するので、機種Ｂと判定する（ステップＳ８  ）。
【００４４】
ステップＳ７  において、出力信号Ｄ２  がＨレベルとなっていない場合、検出したＨレベルが、何か別の故障によるものである可能性があるため、操作パネル部３の表示部３ａにエラー表示を行った後に処理を終了する。
【００４５】
以上のように、本実施形態によれば、装置本体に装着した操作パネル部３によって機種が電源投入時に自動的に判別され、その判別結果に応じた機種のデータがシステムＲＯＭ２から読み出されるので、機種変更を行う際には操作パネル部を交換するだけ済み、機種変更作業を簡単に終えることができる。
【００４６】
なお、以上の実施形態では、機種Ａと機種Ｂの２機種の判別を行う例を示したが、本発明はこれに限れられることなく、操作モードが異なる３機種以上の装置にも適用できる。
【００４７】
【発明の効果】
以上説明したように、本発明によれば、操作パネル部が機種別に異なる画像形成装置を対象とし、操作パネル部のキー回路を利用して機種を判別するので、ハードウェアポートを別途設ける必要がなく、また半田による結線作業等も不要になる。しかも、装置本体に取り付ける操作パネル部を交換するだけで、機種変更が自動的に実行されるので、簡単な操作のもとに機種を変更することができる。
【図面の簡単な説明】
【図１】本発明を適用する画像形成装置（複写機）の概略構成を示す図である。
【図２】本発明の実施形態の構成を示すブロック図である。
【図３】システムＲＯＭの記憶内容を示す図である。
【図４】操作パネル部の構成例を示す図である。
【図５】操作パネル部（機種Ａ）の回路構成図である。
【図６】操作パネル部（機種Ｂ）の回路構成図である。
【図７】制御部にて実行する機種判別の動作を示すフローチャートである。
【図８】同じく機種判別の動作を示すタイミングチャートである。
【図９】同じく機種判別の動作を示すタイミングチャートである。
【符号の説明】
１  制御部
２  システムＲＯＭ
３  操作パネル部
３ａ  表示部
ＳＷＡ−１  〜ＳＷＡ−１１  キー操作部（機種Ａ）
ＳＷＢ−１  〜ＳＷＢ−１１  キー操作部（機種Ｂ）
Ｌ１１〜Ｌ１４  入力ライン
Ｌ２１〜Ｌ２３  出力ライン
４  ＲＡＭ
５  印字部
６  読取部
【図１】
0003616301.tif 000002
【図２】
0003616301.tif 000003
【図３】
0003616301.tif 000004
【図４】
0003616301.tif 000005
【図５】
0003616301.tif 000006
【図６】
0003616301.tif 000007
【図７】
0003616301.tif 000008
【図８】
0003616301.tif 000009
【図９】
0003616301.tif 000010